(57)【要約】      （修正有）【課題】耐久性能に優れた空気入りタイヤを提供する。【解決手段】カーカス３クラウン部の外周上に、タイヤ１の赤道に沿って延びるコードのプライからなる１層以上の周方向ベルト層４と、タイヤ１の赤道に対して４０度以上の角度で傾斜して延びるコードのプライからなる２層以上の傾斜ベルト層５とを具える空気入りタイヤ１であって、標準リム６に取り付け、標準内圧を充填した状態の該タイヤ１の幅方向断面において、周方向ベルト層４の幅方向端部における前記カーカス３から、ビードベースラインＢＬに、垂線を下ろしたときの線分の長さＨｓが、周方向ベルト層４の幅方向中心部における前記カーカス３から、該ビードベースラインＢＬに垂線を下ろしたときの線分の長さＨｃ以上とする。【選択図】図１
2010247581.tif 000002
【特許請求の範囲】
【請求項１】
一対のビード間で、トロイド状に延びるカーカスのクラウン部の外周上に、タイヤの赤道に沿って延びるゴム被覆コードのプライからなる、一層以上の周方向ベルト層と、タイヤの赤道に対して傾斜して延びるゴム被覆コードのプライからなる、二層以上の傾斜ベルト層とを具える空気入りタイヤであって、
標準リムに取り付け、適用サイズ・プライレーティングにおける最大負荷能力に対応する内圧を充填した状態の該タイヤの幅方向断面において、
前記周方向ベルト層の幅方向端部における前記カーカスから、前記標準リムのリム径位置を通ってタイヤの回転軸と平行なビードベースラインに垂線を下ろしたときの線分の長さが、周方向ベルト層の幅方向中心部における前記カーカスから、該ビードベースラインに垂線を下ろしたときの線分の長さ以上となることを特徴とした、空気入りタイヤ。
【請求項２】
前記周方向ベルト層の周方向引張強さが、タイヤの赤道からタイヤの幅方向外側に向かうに従って小さくなる、請求項１に記載の空気入りタイヤ。
【請求項３】
前記周方向ベルト層の幅方向端部から該周方向ベルト層の最大幅の１０％内側までの部分における周方向引張強さが、該周方向ベルト層の幅方向中心部から該周方向ベルト層の最大幅の１０％外側までの部分における周方向引張強さの、０．７倍以下である、請求項１または２に記載の空気入りタイヤ。
【請求項４】
前記周方向ベルト層の最大幅が、前記カーカスの最大幅の０．６倍以上である、請求項１〜３のいずれかに記載の空気入りタイヤ。
【請求項５】
前記傾斜ベルト層の最大幅が、前記カーカスの最大幅の０．７倍以上である、請求項１〜４のいずれかに記載の空気入りタイヤ。
【請求項６】
前記傾斜ベルト層におけるゴム被覆コードのタイヤの赤道に対する傾斜角度が、４０度以上である、請求項１〜５のいずれかに記載の空気入りタイヤ。
【請求項７】
前記周方向ベルト層に使用されるコードは、波形の型付けを有する、請求項１〜６のいずれかに記載の空気入りタイヤ。
【請求項８】
標準リムに取り付け、内圧をゲージ圧で０ｋＰａとした状態の前記タイヤの幅方向断面において、前記周方向ベルト層の幅方向端部におけるカーカスから、前記ビードベースラインに垂線を下ろしたときの線分の長さが、周方向ベルト層の幅方向中心部における前記カーカスから、該ビードベースラインに垂線を下ろしたときの線分の長さの、１．０３倍以下である、請求項１〜７のいずれかに記載の空気入りタイヤ。
【発明の詳細な説明】
【技術分野】
【０００１】
本発明は、タイヤ、特に耐久性能に優れる空気入りタイヤに関するものである。
【背景技術】
【０００２】
近年、トラックやバス等の重車輌においては、排ガス規制強化に伴う排ガス装置の追加や、キャビン内の利便を図る各種機器の車内導入が図られ、車内スペースが増加してきている。
【０００３】
これらを主な背景とし、とりわけ、今日のトラックやバス等の重車輌には、例えば、扁平率が４０〜５０％の扁平タイヤが広く使用されている。
【０００４】
一方、この種のタイヤは、耐摩耗性能を確保する観点から、カーカスのクラウン部に、タイヤの赤道に対して対称な傾斜角度で延びるコードによる少なくとも２層の傾斜ベルト層を、積層配置したベルトを有するのが通例である。こうすることで、タイヤ転動時におけるトレッドゴムのせん断変形を抑制し、トレッドの発熱及び摩耗を抑えるほか、駆動性能や制動性能を確保する。
【０００５】
このように、傾斜ベルト層は、タイヤの基本的な性能要求を満足するために必要であるが、上述したような扁平タイヤでは、内圧充填時の形状保持にあたって、従来の重荷重用タイヤに比べ、さらに大きな周方向剛性が必要とされ、また、トラックやバス等の荷重に耐えうるための耐久力も必要とされたため、傾斜ベルト層に加えて周方向ベルト層を追加配置している。
【０００６】
すなわち、傾斜ベルト層よりも周方向剛性に優れた周方向ベルト層を、当該傾斜ベルト層に重ねて配置してベルトを構成することによって、内圧充填によるタイヤの径方向成長を抑制している。このとき、傾斜ベルト層および周方向ベルト層の幅は異なっており、通常は、傾斜ベルト層を周方向ベルト層よりも幅広に配することによって、耐摩耗性能等を満足させている。
【０００７】
その他、扁平タイヤの耐久性能を向上させる方法として、例えば、特許文献１では、補強層の動きを抑制することで補強層の損傷および補強層とトレッドゴムとのセパレーションを抑制したタイヤが提案されている。
【先行技術文献】
【特許文献】
【０００８】
【特許文献１】特開２００６−１６０８３３号公報
【０００９】
しかし、このようなベルトを採用するタイヤでは、かかる傾斜ベルト層と周方向ベルト層間における周方向剛性および最大幅の違いから、タイヤ負荷転動時において、周方向ベルト層の幅方向端部付近において、両ベルト層間に周方向せん断歪が発生し、これを原因として、両ベルト層間に剥離が生じることがある。
【００１０】
この剥離現象はセパレーションと呼ばれており、タイヤの破裂を引き起こす要因となる。従って、タイヤの耐久性能を鑑みるにあたって、セパレーションの原因となる各ベルト層間に生じる周方向せん断歪を緩和させる必要がある。
【発明の概要】
【発明が解決しようとする課題】
【００１１】
そこで、本発明の目的は、前記の問題点を解決し、耐久性能に優れたタイヤを提供することにある。
【課題を解決するための手段】
【００１２】
前記目的を解決する本発明の要旨は、以下の通りである。
（１）一対のビード間で、トロイド状に延びるカーカスのクラウン部の外周上に、タイヤの赤道に沿って延びるゴム被覆コードのプライからなる、一層以上の周方向ベルト層と、タイヤの赤道に対して傾斜して延びるゴム被覆コードのプライからなる、二層以上の傾斜ベルト層とを具える空気入りタイヤであって、
標準リムに取り付け、適用サイズ・プライレーティングにおける最大負荷能力に対応する内圧を充填した状態の該タイヤの幅方向断面において、
前記周方向ベルト層の幅方向端部における前記カーカスから、前記標準リムのリム径位置を通ってタイヤの回転軸と平行なビードベースラインに、垂線を下ろしたときの線分の長さが、周方向ベルト層の幅方向中心部における前記カーカスから、該ビードベースラインに垂線を下ろしたときの線分の長さ以上となることを特徴とした、空気入りタイヤ。
【００１３】
ここで、上記「標準リム」および「適用サイズ・プライレーティングにおける最大負荷能力に対応する内圧」とは、いずれも、タイヤに関する国際規格に準拠したものを言い、前記「タイヤに関する国際規格」とは、例えば、ＪＡＴＭＡ、ＴＲＡおよびＥＴＲＴＯ等による規格を含むものとする。以下、上記「適用サイズ・プライレーティングにおける最大負荷能力に対応する内圧」を、標準内圧と記述する。
また、上記「カーカスから」とは、「カーカスのコードの軸心から」という意味であり、以下、同様の意味として扱う。さらに、上記「リム径」とは、タイヤをリムに装着したときの該リムの呼び径をいい、該リム径の位置を通って該タイヤの回転軸と並行な前記「ビードベースライン」は、該タイヤのビードヒールを通る。
【００１４】
（２）前記周方向ベルト層の周方向引張強さが、タイヤの赤道からタイヤの幅方向外側に向かうに従って小さくなる、上記（１）に記載の空気入りタイヤ。
【００１５】
ここで、上記「周方向引張強さ」とは、前記周方向ベルト層の周方向に歪０．０５％を与えたときの最大引張荷重Ｆｍａｘを測定し、該最大引張荷重Ｆｍａｘを原断面積Ａ０で除することによって、測定される応力σのことを言う。すなわち、σ＝Ｆｍａｘ／Ａ０で算出する。
【００１６】
（３）前記周方向ベルト層の幅方向端部から該周方向ベルト層の最大幅の１０％内側までの部分における周方向引張強さが、該周方向ベルト層の幅方向中心部から該周方向ベルト層の最大幅の１０％外側までの部分における周方向引張強さの、０．７倍以下である、上記（１）又は（２）に記載の空気入りタイヤ。
【００１７】
（４）前記周方向ベルト層の最大幅が、前記カーカスの最大幅の０．６倍以上である、上記（１）〜（３）のいずれかに記載の空気入りタイヤ。
【００１８】
（５）前記傾斜ベルト層の最大幅が、前記カーカスの最大幅の０．７倍以上である、上記（１）〜（４）のいずれかに記載の空気入りタイヤ。
【００１９】
（６）前記傾斜ベルト層におけるゴム被覆コードのタイヤの赤道に対する傾斜角度が、タイヤの赤道方向に対して４０度以上である、上記（１）〜（５）のいずれかに記載の空気入りタイヤ。
【００２０】
（７）前記周方向ベルト層に使用されるコードは、波形の型付けを有する、上記（１）〜（６）のいずれかに記載の空気入りタイヤ。
【００２１】
（８）標準リムに取り付け、内圧をゲージ圧で０ｋＰａとした状態の前記タイヤの幅方向断面において、前記周方向ベルト層の幅方向端部におけるカーカスから、前記ビードベースラインに垂線を下ろしたときの線分の長さが、周方向ベルト層の幅方向中心部における前記カーカスから、該ビードベースラインに垂線を下ろしたときの線分の長さの、１．０３倍以下である、上記（１）〜（７）のいずれかに記載の空気入りタイヤ。
【発明の効果】
【００２２】
本発明によって、従来、タイヤの周方向ベルト層の端部付近から傾斜ベルト層にかけて発生していた周方向せん断歪を解消することができ、これにより、セパレーションの発生頻度を大幅に減少させ、耐久性能を向上させることができる。
【図面の簡単な説明】
【００２３】
【図１】本発明による空気入りタイヤの、内圧充填後における幅方向断面図である。
【図２】本発明による空気入りタイヤの、内圧充填前における幅方向断面図である。
【図３】Ｈｓ／Ｈｃ−歪（指数）線図である。
【発明を実施するための形態】
【００２４】
本発明に従う実施の形態を、図面を参照しつつ詳細に説明する。
図１は、本発明に従うタイヤ１をＪＡＴＭＡ規格に定める標準リム６に取り付け、前記規格に定める標準内圧を充填した状態の幅方向断面図であり、図２は、本発明に従うタイヤ１をＪＡＴＭＡ規格に定める標準リム６に取り付け、内圧をゲージ圧で０ｋＰａとした状態の幅方向断面図である。
【００２５】
図１および図２に示すように、本発明に従うタイヤ１は、一対のビード２間でトロイド状に延びるカーカス３を具えており、かかるカーカス３のクラウン部の外周上に、タイヤの赤道に対して傾斜して延びるゴム被覆コードのプライからなる２層以上の傾斜ベルト層５と、タイヤの赤道に沿って延びるゴム被覆コードのプライからなる、１層以上の周方向ベルト層４とから成るベルト７を具える。
【００２６】
このタイヤ１を、図１に示すように、標準リム６に取り付け、標準内圧を充填した状態の該タイヤ１の幅方向断面において、周方向ベルト層４の幅方向端部におけるカーカス３からビードベースラインＢＬに垂線を下ろしたときの線分の長さＨｓ（以下、カーカス高さＨｓと示す）が、周方向ベルト層４の幅方向中心部における前記カーカス３から該ビードベースラインＢＬに垂線を下ろしたときの線分の長さＨｃ（以下、カーカス高さＨｃと示す）以上となることが肝要である。すなわち、ＨｓとＨｃとが、Ｈｃ≦Ｈｓの関係を満たす。
【００２７】
標準内圧充填時のタイヤのカーカス形状を上記のようにすることで、負荷転動時のショルダー部の変形を抑制し、もって該ショルダー域における周方向ベルト層４と傾斜ベルト層５間でのせん断歪の発生を低減する。ここで、図３に、Ｈｓ／Ｈｃと前記歪との関係を調査した結果を示すように、Ｈｓ／Ｈｃの値を大きくすることによって、前記歪が小さくなることがわかる。なお、図３に示す実験結果は、有限要素法（ＦＥＭ）によるシミュレーションにおいて、タイヤに標準内圧を充填し、ＪＡＴＭＡ規格に定める最大負荷能力（標準荷重）を負荷し、転動させたときの歪を測定したものである。
【００２８】
一方、Ｈｓ／Ｈｃの上限としては、Ｈｓ／Ｈｃ≦１．０５とすることが好適である。この理由として、セパレーション抑制の観点において、Ｈｓ／Ｈｃの値は高いほど良いが、この値が、１．０５よりも大きい場合、タイヤのショルダー部における接地圧が増加するために、耐摩耗性能を損ねる可能性があるからである。
【００２９】
また、本発明にあっては、前記周方向ベルト層４の周方向引張強さが、幅方向断面におけるセンターラインＣＬからタイヤ１の幅方向外側に向かうに従って小さくなることが好適である。周方向ベルト層４の周方向引張強さをこのようにすることで、前記タイヤの標準内圧充填時に、Ｈｃ≦Ｈｓの関係を満たすカーカス３の形状を確実に得ることが可能である。
【００３０】
さらに、本発明にあっては、前記周方向ベルト層４の幅方向端部から該周方向ベルト層４の最大幅の１０％内側までの部分における周方向引張強さσｓと、該周方向ベルト層４の幅方向中心部から該周方向ベルト層４の最大幅の１０％外側までの部分における周方向引張強さσｃとが、σｓ／σｃ＝γとした場合に、γ≦０．７を満たすことが好適である。こうすることによって、ＨＣ≦Ｈｓの関係を満たすカーカス３の形状をより確実に得ることができる。
【００３１】
加えて、本発明にあっては、前記周方向ベルト層４の最大幅Ｂｗと、前記カーカス３の最大幅Ｓｍａｘとが、Ｂｗ／Ｓｍａｘ≧０．６を満たすことが好適である。周方向ベルト層４の最大幅Ｂｗをカーカス３の最大幅Ｓｍａｘの０．６倍未満とした場合、タイヤの形状保持が困難となり、耐久性能や耐摩耗性能等を損ねる可能性があるからである。また、タイヤの耐摩耗性能の観点から、より好適には、Ｂｗ／Ｓｍａｘ≧０．７であるが、前記周方向ベルト層４の最大幅Ｂｗを広げるに従い、変形の大きいショルダー部に近づき、前記歪を増幅させる可能性がある。そのため、該最大幅Ｂｗは、タイヤの使用条件や要求性能等を考慮して決定する必要があり、その上限としては、Ｂｗ／Ｓｍａｘ≦０．９である。
【００３２】
さらにまた、本発明にあっては、前記傾斜ベルト層５の最大幅Ｂｗ′と、前記カーカス３の最大幅Ｓｍａｘとが、Ｂｗ′／Ｓｍａｘ≧０．７を満たすことが好適である。傾斜ベルト層５の最大幅Ｂｗ′を、カーカス３の最大幅Ｓｍａｘの０．７倍以上とすることによって、タイヤの耐摩耗性能を向上させることができる。とりわけ、本発明による、Ｈｓ／Ｈｃとなるカーカス構造と組み合わせることによって、耐摩耗性能と耐久性能の両方を同時に向上させることが可能となり、従来品のタイヤに比してより優れた効果を発揮することができる。
【００３３】
加えてまた、本発明にあっては、前記傾斜ベルト層５におけるゴム被覆コードの、タイヤ１の赤道に対する傾斜角度が、４０度以上であることが好適であり、さらに好適には、５０度以上である。ゴム被覆コードの傾斜角度を上記範囲内とすることによって、傾斜ベルト層５のタイヤ幅方向における接地圧分布を均一にするとともに、幅方向剛性を確保できるため、より確実に耐摩耗性能および耐久性能を両立させることが可能となる。
【００３４】
また、本発明にあっては、前記周方向ベルト層４に使用されるコードは、波形の型付けを有することが好適である。かかるコードを周方向ベルト層４に適用すれば、コードの波長や波高を変化させることによって、ベルトの引張強さの制御が可能であるため、該ベルト幅方向の周方向引張強さ分布を上述の通りに抑制するのに便利である。
【００３５】
さらに、本発明にあっては、標準リムに取り付け、内圧をゲージ圧で０ｋＰａとした状態の前記タイヤの幅方向断面において、周方向ベルト４端部におけるカーカス高さＨｓ′と、周方向ベルト４の幅方向中心部におけるカーカス高さＨｃ′とが、Ｈｓ′／Ｈｃ′＝βとした場合、β≦１．０３の関係を満たすことが好適である。なぜなら、１．０３＜βとなる場合、内圧を充填していない状態の本発明によるタイヤの外観と、製造段階における不具合によりタイヤの幅方向中心部が窪んだ形状で完成してしまった不良タイヤ、いわゆるバックリングを生じたタイヤの外観とが類似する。従って、製品検査段階における混同防止の観点からは、Ｈｓ′／Ｈｃ′は上記範囲にあることが好ましいと言える。
【００３６】
尚、上述したところは、本発明の実施形態の一部を示したに過ぎず、本発明の趣旨を逸脱しない限り、これらの構成を交互に組み合わせたり、種々の変更を加えたりすることができる。
【実施例】
【００３７】
図１および図２に示すところに従い、カーカス３クラウン部の外周上に、タイヤの赤道に対して傾斜して延びるゴム被覆コードのプライからなる傾斜ベルト層５−１と、タイヤの赤道方向に対して傾斜ベルト層５−１と対称の角度で延びるゴム被覆コードからなる傾斜ベルト層５−２を具え、さらに、タイヤの赤道に沿って延びる、正弦波状に型付けしたゴム被覆コードのプライからなる１層の周方向ベルト層４とを、具えて成るベルト７を持った供試タイヤを、サイズ３５５／５０Ｒ２２．５において試作した。その際、各供試タイヤのカーカス最大幅Ｓｍａｘを３３９ｍｍとし、周方向ベルト層４の幅ＢＷおよび端部・中央部間の周方向引張強さの比σｓ／σｃ、傾斜ベルト層５−１および５−２の、幅および赤道方向に対しての角度を表１の通りとした。尚、引張強さは、前記波形コードの波長または波高を調整して、端部と中央部とで変化させた。
【００３８】
次に、かかるタイヤを、ＪＡＴＭＡ規格に定める、サイズ（１１．７５×２２．５）の標準リムに取り付けてタイヤ車輪とし、前記規格に定める標準内圧であるゲージ圧９００ｋＰａを充填したときのセンターカーカス高さＨｃ′、周方向ベルト端カーカス高さＨｓ′およびＨｓ′／Ｈｃ′並びにゲージ圧０ｋＰａとしたときの、Ｈｃ、ＨｓおよびＨｓ／Ｈｃを測定したので、併せて表１に示す。
【００３９】
【表１】
2010247581.tif 000003
【００４０】
かくして得られた供試タイヤのタイヤ車輪を、車軸に装着し、標準内圧９００ｋＰａを充填し、ＪＡＴＭＡ規格に定める最大負荷能力３９．２ｋＮを負荷した状態で、耐久性能および耐摩耗性能について評価したので、以下に図表を交えて説明する。
【００４１】
耐久性能はドラム試験機を使用した耐久性能試験において、一定速度６０ｋｍ／ｈで、３０，０００ｋｍ走行後、タイヤの周方向ベルト層４および傾斜ベルト層５間に発生したセパレーションの長さを測定することにより評価した。
【００４２】
また、耐摩耗性能は、ドラム試験機を使用し、一定速度６０ｋｍ／ｈで、１０，０００ｋｍ走行後の、トレッド端部の摩耗量を測定することにより評価した。
【００４３】
ここで、耐久性能および耐摩耗性能は、従来例タイヤの性能を１００とし、その他のタイヤの数値を比較した指数値で表しており、これを表２に示す。尚、数値が大きいほど耐久性能および耐摩耗性能に優れている。
【００４４】
【表２】
2010247581.tif 000004
【００４５】
発明例タイヤ１は、従来例タイヤに対し、各ベルト層の幅および傾斜角度を変えずに、標準内圧充填時のカーカス形状が、本発明の要旨を満たすように試作したものである。ここで、表２に示す評価結果を見ると、発明例タイヤ１は、従来例タイヤに比べ耐久性能が大幅に向上していることがわかる。これは、負荷転動時におけるタイヤのショルダー部の変形が抑制され、該ショルダー域における周方向ベルト層と傾斜ベルト層間での歪を軽減することができたためである。
上記結果から、本発明によって、タイヤの耐久性能を向上できると言える。
【００４６】
発明例タイヤ２は、発明例タイヤ１の傾斜ベルト層５−２の幅を広げることによってさらに耐摩耗性能の向上を図ったものである。このとき、傾斜ベルト層５−１および５−２はともに、カーカス最大幅の０．７倍以上である。表２に示す評価結果を見ると、発明例タイヤ２は、発明例タイヤ１に比べ耐摩耗性能を大幅に向上している、さらに、従来例タイヤと比較すると、耐久性能および耐摩耗性能の両方に関して、向上した値を示していることがわかる。
上記結果から、本発明にあっては、傾斜ベルト層５が、カーカス最大幅Ｓｍａｘの０．７倍以上であることが好適であると言える。
【００４７】
発明例タイヤ３は、発明例タイヤ２に対し、各ベルト層の幅および傾斜角度を変えずに、さらに、Ｈｓ／Ｈｃの値が大きくなるように形成したものである。表２に示す評価結果を見ると、発明例タイヤ３は、発明例タイヤ２に比べ、さらに耐久性能を向上していることがわかる。従って、本発明にあっては、Ｈｓ／Ｈｃの値が大きくなるほど耐久性能が向上すると言える。但し、発明例タイヤ３は、内圧をゲージ圧で０ｋＰａとしたときのカーカス高さＨｓ′およびＨｃ′が、Ｈｓ′／Ｈｃ′≦１．０３を満たさないため、製品検査段階における混同防止の観点からは、さらなる改良が必要である。
【００４８】
発明例タイヤ４は、発明例タイヤ２の周方向ベルト層４における周方向引張強さの比σｓ／σｃなどを調整することによって、Ｈｓ′／Ｈｃ′≦１．０３を満たしつつ、Ｈｓ／Ｈｃの値を大きくし、耐久性能をさらに向上させることを図って製作したものである。このとき、発明例タイヤ４の周方向ベルト層４における周方向引張強さの比σｓ／σｃは、σｓ／σｃ≦０．７を満たす。表２に示す評価結果を参照に、発明例タイヤ４と発明例タイヤ２を比較すると、発明例タイヤ４は、耐久性能および耐摩耗性能を大幅に向上していることがわかる。
上記結果から、タイヤの周方向ベルト層４における周方向引張強さの比がσｓ／σｃ≦０．７を満たすことによって、Ｈｓ′／Ｈｃ′≦１．０３を満たしつつ、より高いＨｓ／Ｈｃの値を得ることができ、これによって、耐久性能および耐摩耗性能をさらに向上することが可能となる。従って、本発明にあっては、周方向ベルト層４の幅方向端部における周方向引張強さが、該周方向ベルト層４の幅方向中心部における周方向引張強さの、０．７倍以下であることが好適である。
【００４９】
また、発明例タイヤ４は、発明例タイヤ５の周方向ベルト層４の幅を広くし、０．６≦ＢＷを満たすものとしたタイヤである。表２に示す評価結果から、発明例タイヤ４の耐久性能が、発明例タイヤ５よりも優れていることがわかる。さらに周方向ベルト層４の幅を広くしたことにより、内圧によるタイヤのショルダー部の径方向成長を抑制でき、接地圧分布の均一性を向上できたため、耐摩耗性能についても優れた結果を示している。
このことから、本発明にあっては、周方向ベルト層４の幅ＢＷが０．６≦ＢＷを満たすことが、好適であると言える。
【００５０】
発明例タイヤ６は、発明例タイヤ４の各傾斜ベルト層５−１および５−２に使用するゴム被覆コードの、タイヤの赤道に対する角度を変化させ、４０度未満としたタイヤである。表２に示す評価結果から、発明例タイヤ６は、耐摩耗性能（および耐久性能）に関して、発明例タイヤ４に大幅に劣っていることがわかる。
従って、本発明にあっては、各傾斜ベルト層５に使用されるゴム被覆コードの傾斜する角度が、タイヤの赤道方向に対して４０度以上であることが好適であると言える。
【産業上の利用可能性】
【００５１】
以上に記述したことから明らかなように、本発明によって、従来の空気入りタイヤにおいて主な課題点であった、耐久性能および耐摩耗性能を、大幅に向上することができる。
【符号の説明】
【００５２】
ＣＬ    センターライン
ＢＬ    ビードベースライン
１      空気入りタイヤ
２      ビード
３      カーカス
４      周方向ベルト層
５      傾斜ベルト層
６      リム
７      ベルト
【図１】
2010247581.tif 000005
【図２】
2010247581.tif 000006
【図３】
2010247581.tif 000007